(57)【要約】【課題】表示構造、表示パネル及び表示装置を提供する。【解決手段】本開示は、表示構造であって、表示構造の第１の領域に設けられ、面積が第１の領域の面積より小さい所定のパターンに従って配列され、それぞれ有機発光ダイオードを含む複数の色のサブ画素を含む複数の画素と、第１の領域以外の第２の領域に設けられ、有機発光ダイオードに接続され、有機発光ダイオードを発光するように駆動するための複数の駆動回路と、を含むものである。本開示の実施例によれば、当該表示構造を含む表示装置において、表示装置に画像収集機器を設ける必要がある場合、画像収集機器を表示構造の第１の領域に設けてもよい。第１の領域が透明に近いため、画像収集機器が遮蔽されないことを保証することができ、第１の領域は、依然として一定の表示効果を備えており、表示領域の一部に属し、表示装置の正面の表示領域の比率向上に有利であり、表示装置全体の美観が向上する。【選択図】図１
2021501901.tif 000002
【特許請求の範囲】
【請求項１】
表示構造であって、
前記表示構造の第１の領域に設けられ、面積が前記第１の領域の面積より小さい所定のパターンに従って配列され、それぞれ有機発光ダイオードを含む複数の色のサブ画素を含む複数の画素と、
前記第１の領域以外の第２の領域に設けられ、前記有機発光ダイオードに接続され、前記有機発光ダイオードを発光するように駆動するための複数の駆動回路と、を含む、
ことを特徴とする表示構造。
【請求項２】
各前記駆動回路は、１つの前記有機発光ダイオードに対応して接続される、
ことを特徴とする請求項１に記載の表示構造。
【請求項３】
少なくとも１つの前記駆動回路は、複数の前記有機発光ダイオードに対応して接続される、
ことを特徴とする請求項１に記載の表示構造。
【請求項４】
前記画素は、ｎ色のサブ画素を含み、前記サブ画素は、前記有機発光ダイオードを含み、
前記複数の駆動回路は、ｎ個の駆動回路を含み、前記ｎ個の駆動回路のうちの第ｉ個の駆動回路は、各第ｉ色のサブ画素における有機発光ダイオードを発光するように駆動するためのものであり、１≦ｉ≦ｎ、ｉ及びｎが整数であり、ｎ＞１である、
ことを特徴とする請求項３に記載の表示構造。
【請求項５】
前記駆動回路は、駆動トランジスタを含み、前記有機発光ダイオードは、第１の電極と、第２の電極と、前記第１の電極と第２の電極との間に設けられる有機発光層を含み、
第ｉ個の駆動回路における駆動トランジスタは、各第ｉ色のサブ画素における第１の電極に接続される、
ことを特徴とする請求項４に記載の表示構造。
【請求項６】
隣接する同色のサブ画素における第１の電極がお互いに接続される、
ことを特徴とする請求項５に記載の表示構造。
【請求項７】
前記表示構造は、前記複数の駆動回路に接続され、前記所定のパターン内の所定位置の画素における有機発光ダイオードを駆動して発光させるように、前記駆動回路を制御するための制御ユニットをさらに含む、
ことを特徴とする請求項１〜６のいずれかに記載の表示構造。
【請求項８】
前記所定のパターンは、複数の表示セグメントを含み、前記表示セグメントは、複数の連続する前記画素を含む、
ことを特徴とする請求項７に記載の表示構造。
【請求項９】
前記制御ユニットは、同一の表示セグメント内に位置する画素における有機発光ダイオードを同時に発光、又は同時に消灯するように制御する、
ことを特徴とする請求項８に記載の表示構造。
【請求項１０】
前記所定位置の画素は、前記所定のパターン内の一部の画素であるか、又は前記所定のパターン内のすべての画素である、
ことを特徴とする請求項７〜９のいずれかに記載の表示構造。
【請求項１１】
請求項１〜１０のいずれかに記載の表示構造を含み、
複数の有効発光画素及び複数の駆動回路が設けられる有効発光領域をさらに含み、前記有効発光画素は、複数のサブ画素を含み、前記有効発光領域内のサブ画素と駆動回路とが一対一に対応して設けられる、
ことを特徴とする表示パネル。
【請求項１２】
請求項１１に記載の表示パネルを含み、
前記第１の領域に設けられ、前記表示構造の出光方向から離れる側に位置する画像収集機器をさらに含む、
ことを特徴とする表示装置。
【請求項１３】
前記表示装置は、前記第１の領域に設けられ、前記表示構造の出光方向から離れる側に位置するセンサをさらに含む、
ことを特徴とする請求項１２に記載の表示装置。
【発明の詳細な説明】
【技術分野】
【０００１】
本開示は、表示技術分野に関し、特に表示構造、表示パネル及び表示装置に関する。
【背景技術】
【０００２】
モバイル端末の知能化レベルが向上するように、スマート端末にますます多くの機能が集約され、カメラ機能がその中の１つである。カメラ機能を実現するために、スマート端末に画像収集機器を集約する必要がある。画像収集機器がモバイル端末の正面の画像を収集できるようにするために、画像収集機器が設けられるようにモバイル端末の正面に穴を開ける必要がある。これは、モバイル端末の美観に影響するだけではなく、モバイル端末の正面表示領域の面積占有率も低減させる。
【発明の概要】
【発明が解決しようとする課題】
【０００３】
関連技術における不足を解決するために、本開示は、表示構造、表示パネル及び表示装置を提供する。
【課題を解決するための手段】
【０００４】
本開示の実施例の第１の態様によれば、表示構造であって、前記表示構造の第１の領域に設けられ、面積が前記第１の領域の面積より小さい所定のパターンに従って配列され、それぞれ有機発光ダイオードを含む複数の色のサブ画素を含む複数の画素と、前記第１の領域以外の第２の領域に設けられ、前記有機発光ダイオードに接続され、前記有機発光ダイオードを発光するように駆動するための複数の駆動回路と、を含む、表示構造を提供する。
【０００５】
好ましくは、各前記駆動回路は、１つの前記有機発光ダイオードに対応付けて接続される。
【０００６】
好ましくは、少なくとも１つの前記駆動回路は、複数の前記有機発光ダイオードに対応付けて接続される。
【０００７】
好ましくは、前記画素は、ｎ色のサブ画素を含み、前記サブ画素は、前記有機発光ダイオードを含み、前記複数の駆動回路は、ｎ個の駆動回路を含み、前記ｎ個の駆動回路のうちの第ｉ個の駆動回路は、各第ｉ色のサブ画素における有機発光ダイオードを発光するように駆動するためのものであり、１≦ｉ≦ｎ、ｉ及びｎが整数であり、ｎ＞１である。
【０００８】
好ましくは、前記駆動回路は、駆動トランジスタを含み、前記有機発光ダイオードは、第１の電極と、第２の電極と、前記第１の電極と第２の電極との間に設けられる有機発光層を含み、第ｉ個の駆動回路における駆動トランジスタは、各第ｉ色のサブ画素における第１の電極に接続される。
【０００９】
好ましくは、隣接する同色のサブ画素における第１の電極がお互いに接続される。
【００１０】
好ましくは、前記表示構造は、前記複数の駆動回路に接続され、前記所定のパターン内の所定位置の画素における有機発光ダイオードを発光するように駆動するように、前記駆動回路を制御するための制御ユニットをさらに含む。
【００１１】
好ましくは、前記所定のパターンは、複数の表示セグメントを含み、前記表示セグメントは、複数の連続する前記画素を含む。
【００１２】
好ましくは、前記制御ユニットは、同時に発光、又は同時に消灯するように、同一の表示セグメント内に位置する画素における有機発光ダイオードを制御する。
【００１３】
好ましくは、前記所定位置の画素は、前記所定のパターン内の一部の画素であるか、又は前記所定のパターン内のすべての画素である。
【００１４】
本開示の実施例の第２の態様によれば、上記いずれかの実施例に記載の表示構造を含み、複数の有効発光画素及び複数の駆動回路が設けられる有効発光領域をさらに含み、前記有効発光画素は、複数のサブ画素を含み、前記有効発光領域内のサブ画素と駆動回路とが一対一に対応して設けられる、表示パネルを提供する。
【００１５】
本開示の実施例の第３の態様によれば、上記いずれかの実施例に記載の表示パネルを含み、前記第１の領域に設けられ、前記表示構造の出光方向から離れる側に位置する画像収集機器をさらに含む、表示装置を提供する。
【００１６】
好ましくは、前記表示装置は、前記第１の領域に設けられ、前記表示構造の出光方向から離れる側に位置するセンサをさらに含む。
【発明の効果】
【００１７】
本開示の実施例によって提供される技術案は、以下の有益な効果を含むことができる。上記実施例から分かるように、駆動回路には、トランジスタ、コンデンサなどの遮光構造が含まれるが、有機発光ダイオードは、透光性を有するため、サブ画素を第１の領域に設け、駆動回路を第１の領域以外の第２の領域に設けることにより、第１の領域の表示構造が透明に近くなり、かつ第１の領域における画素が所定のパターンに従って配列されることで、第１の領域の表示構造がある程度の表示機能を備えるようになる。
【００１８】
これにより、当該表示構造を含む表示装置において、表示装置に画像収集機器を設ける必要がある場合、画像収集機器を表示構造の第１の領域に設けてもよい。第１の領域が透明に近いため、画像収集機器が遮蔽されないことを確保することができ、第１の領域は、依然として一定の表示効果を備えており、即ち表示領域の一部に属し、表示装置の正面の表示領域の比率向上に有利であり、表示装置全体の美観が向上する。
【００１９】
なお、以上の一般的な説明及び後述の詳細な説明は、単なる例示的及び解釈的なものであり、本開示を制限するものではない。
【図面の簡単な説明】
【００２０】
ここの図面は、本明細書に組み込まれて本明細書の一部を構成し、本開示に適する実施例を示しており、明細書と共に、本開示の原理を説明するために用いられる。
【００２１】
【図１】本開示の実施例によって示される表示構造の概略図である。
【図２】本開示の実施例によって示される他の表示構造の概略図である。
【図３】本開示の実施例によって示される他の表示構造の概略図である。
【図４】本開示の実施例によって示される表示構造の概略断面図である。
【図５】本開示の実施例によって示される他の表示構造の概略断面図である。
【図６】本開示の実施例によって示される駆動回路の概略図である。
【図７】本開示の実施例によって示される表示パネルの概略図である。
【図８】本開示の実施例によって示される表示パネルの配線概略図である。
【図９】本開示の実施例によって示される表示用装置の概略ブロック図である。
【発明を実施するための形態】
【００２２】
ここで例示的な実施例を詳細に説明し、その例が図面に示される。以下の説明が図面に係る場合、他の説明がない限り、異なる図面における同一の数字が、同一又は類似の要素を示す。以下の例示的な実施例に記載される実施形態は、本出願と一致する全ての実施形態を表すものではない。むしろ、それらは単に特許請求の範囲に詳述されている、本開示の一部の側面と一致する装置及び方法の例である。
【００２３】
図１は、本開示の実施例によって示される表示構造の概略図であり、図２は、本開示の実施例によって示される他の表示構造の概略図であり、図３は、本開示の実施例によって示されるさらなる他の表示構造の概略図である。図１、図２及び図３に示すように、前記表示構造は、前記表示構造の第１の領域Ａに設けられ、面積が前記第１の領域の面積より小さい所定のパターンに従って配列され、それぞれ有機発光ダイオードを含む複数の色のサブ画素を含む複数の画素と、前記第１の領域Ａ以外の第２の領域に設けられ、前記有機発光ダイオードに接続され、前記有機発光ダイオードを発光するように駆動するための複数の駆動回路と、を含む。
【００２４】
一実施例において、例えば、画素が、赤色サブ画素、緑色サブ画素及び青色サブ画素を含む場合、赤色サブ画素、緑色サブ画素及び青色サブ画素の配列方式は、図１に示すように、結晶状に配列してもよく、各画素は、１つの赤色サブ画素と、１つの青色サブ画素と、２つの緑色サブ画素と、を含む。必要に応じて、サブ画素の配列方式を設けてもよく、例えば、図２に示すように、マトリクス状に配列してもよく、各画素は、１つの赤色サブ画素と、１つの緑色サブ画素と、１つの青色サブ画素と、を含む。
【００２５】
一実施例において、所定のパターンは、必要に応じて設けることができ、例えば、図１に示すように、所定のパターンが文字ｈｉであり、又は図２に示すように、所定のパターンが計７つの表示セグメント２１〜２７によって構成される文字８である。図３に示すように、表示セグメント内の画素に含まれるサブ画素は、結晶状に配列してもよい。当然ながら、所定のパターンは、図１、図２及び図３に示す場合に限らず、必要に応じて設けることができ、例えば、所定のパターン以外にも、パターンを構成する素子を設けることができ、例えば、設けられる表示セグメントの数は、７以外にも、他の数であってもよい。
【００２６】
所定のパターンの面積が第１の領域の面積より小さく、すなわち、画素が第１の領域に敷き詰められるわけではないため、第１の領域に画素が敷き詰められる場合に対して、本実施例では、画素が少ないので、駆動回路を第１の領域以外の第２の領域（図示せず）に設けることが容易になるように、画素における有機発光ダイオードを発光するように駆動するための駆動回路を少なく設けてもよい。
【００２７】
例えば、第２の領域は、第１の領域の縁に沿って設けられてもよいし、第１の領域の片側に設けられてよく、具体的には、所定のパターンの形状に応じて設けることができる。
【００２８】
本開示の実施例によれば、駆動回路には、トランジスタ、コンデンサなどの遮光構造が含まれるが、有機発光ダイオードは、透光性を有するため、サブ画素を第１の領域に設け、駆動回路を第１の領域以外の第２の領域に設けることにより、第１の領域の表示構造が透明に近くなり、第１の領域における画素が所定のパターンに従って配列されることで、第１の領域の表示構造が、例えば、当該所定のパターンを表示できるように、ある程度の表示機能を備えるようになる。
【００２９】
これにより、当該表示構造を含む表示装置において、表示装置に画像収集機器を設ける必要がある場合、画像収集機器を表示構造の第１の領域に設けてもよい。第１の領域が透明に近いため、画像収集機器が遮蔽されないことを確保することができ、第１の領域は、依然として一定の表示効果を備えており、表示領域の一部に属し、表示装置の正面の表示領域の比率向上に有利であり、表示装置全体の美観が向上する。
【００３０】
好ましくは、各前記駆動回路は、１つの前記有機発光ダイオードに対応付けて接続される。
【００３１】
一実施例において、１つの駆動回路は、１つの有機発光ダイオードを発光するように駆動することができる。これに基づいて、複数の画素が、所定のパターンを表示したうえで、部分的に表示することができ、より豊富なパターンを表示するように、異なる有機発光ダイオードをそれぞれ独立的に制御することができる。
【００３２】
好ましくは、少なくとも１つの前記駆動回路は、複数の前記有機発光ダイオードに対応付けて接続される。
【００３３】
一実施例において、複数の有機発光ダイオードは、１つの駆動回路によって駆動することができる。これに基づいて、１本の導線により複数の有機発光ダイオードを駆動回路に接続することができ、配線の減少に有利する。導線が表示構造の透過率にも影響するため、第１の領域が高い透過率を有することをさらに保証する。
【００３４】
図２に示す実施例の場合、１つの表示セグメント内の画素における有機発光ダイオードを、サブ画素の色に対応する数の駆動回路によって駆動することができ、例えば、７つの表示セグメントのうち、ある表示セグメントには、画素が赤、緑、青三色のサブ画素を含む場合、当該表示セグメントは、３つの駆動回路によって駆動することができ、したがって、７つの表示セグメントは、２１つの駆動回路によって駆動することができ、表示セグメントにおける画素が全体として同時に点灯、同時に消灯するようになり、視覚効果の向上に有利である。
【００３５】
好ましくは、前記画素は、ｎ色のサブ画素を含み、前記サブ画素は、前記有機発光ダイオードを含み、前記複数の駆動回路は、ｎ個の駆動回路を含み、前記ｎ個の駆動回路のうちの第ｉ個の駆動回路は、各第ｉ色のサブ画素における有機発光ダイオードを発光するように駆動するためのものであり、１≦ｉ≦ｎ、ｉ及びｎが整数であり、ｎ＞１である。
【００３６】
一実施例において、駆動回路が一対多で前記有機発光ダイオードに接続されたうえ、同じ色のサブ画素における有機発光ダイオードを１つの駆動回路に接続することができ、例えば、ｎ＝３の場合、３つの駆動回路のみで、有機発光ダイオードに対する駆動を完成することができ、配線をさらに減少ことができ、第１の領域の透過率向上にさらに有利である。
【００３７】
好ましくは、前記駆動回路は、駆動トランジスタを含み、前記有機発光ダイオードは、第１の電極と、第２の電極と、前記第１の電極と第２の電極との間に設けられる有機発光層を含み、第ｉ個の駆動回路における駆動トランジスタは、各第ｉ色のサブ画素における第１の電極に接続される。
【００３８】
一実施例において、有機発光ダイオードの構造は、第１の電極及び第２の電極に有機発光層を設けるものであってもよい。第１の電極が陽極であり、第２の電極が陰極であり、又は第１の電極が陰極であり、第２の電極が陽極である。以下は、主に、第１の電極が陽極であり、第２の電極が陰極である場合について例示的に説明する。
【００３９】
異なる有機発光ダイオードは、第１の電極が有機発光ダイオードの同一側に設けられるため、駆動トランジスタにより複数の第１の電極を接続することにより、複数のサブ画素に対する駆動を実現し、駆動トランジスタが一部のサブ画素の第１の電極と一部のサブ画素の第２の電極とに接続されるものより簡単な構造である。
【００４０】
図４は、本開示の実施例によって示される表示構造の概略断面図である。図５は、本開示の実施例によって示される他の表示構造の概略断面図である。図４及び図５に示すように、隣接する同色のサブ画素における第１の電極６が接続される。
【００４１】
一実施例において、図４に示すように、表示構造は、下から上へ順に、基板１と、バッファ層２と、ゲート絶縁層３と、層間絶縁層４と、平坦層５と、第１の電極６と、画素特定層７と、第２の電極８と、を含むことができる。駆動トランジスタは、活性層１０と、ゲート１１と、ソース１２と、ドレイン１３と、を含み、第１の電極６と第２の電極８との間には、有機材料層９が設けられる。
【００４２】
各有機材料層９は、１つのサブ画素に対応し、複数の同じ色のサブ画素の第１の電極６同士が接続される。これにより、第１の電極６を形成する際に、第１の電極６同士を接続することで、複数の同じ色のサブ画素同士を接続し、駆動トランジスタをいずれかのサブ画素の第１の電極６に接続することで、前記サブ画素の第１の電極６に接続される構造を形成し、駆動トランジスタと第１の電極６との接続構造の簡素化に有利である。
【００４３】
当然のことながら、他の方式によって駆動トランジスタを複数の同じ色のサブ画素に接続することができ、例えば、同じ色のサブ画素の第１の電極同士が接続されていない場合、各サブ画素の第１の電極に対応する位置に貫通孔を設けることができ、その後、駆動トランジスタのドレインを各貫通孔に伸ばすことにより、各貫通孔における第１の電極と電気的に接続を実現する。
【００４４】
なお、図４に示す実施例において、駆動トランジスタの上方に有機材料層９を設けることができ、すなわち、駆動回路が存在する第２の領域Ｂも発光することができる。当然ながら、必要に応じて、駆動トランジスタの上方に有機材料層を設けなくてもよく、図５に示すように、駆動回路が存在する第２の領域Ｂが発光しなくなる。
【００４５】
好ましくは、前記表示構造は、前記複数の駆動回路に接続され、前記所定のパターン内の所定位置の画素における有機発光ダイオードを発光するように駆動するように、前記駆動回路を制御するための制御ユニットをさらに含む。
【００４６】
一実施例において、制御ユニットは、駆動回路を制御することにより、駆動回路が、所定のパターン内の所定位置の画素における有機発光ダイオードを発光するように駆動するようにすることができ、これにより、所定のパターンに従って配列された複数の画素が、所定のパターン内の所定位置に発光するようにすることができ、所定位置は、駆動回路を制御する前に、予め設置することができ、予め設置された所定位置に基づいて、画素の発光を制御することができるため、ニーズを満たす内容を表示する。
【００４７】
例えば、図１に示す実施例において、所定のパターン内の文字ｈの画素における有機発光ダイオードを発光するように制御することができるため、表示されるパターンがｈｉではなく、ｈである。
【００４８】
好ましくは、前記所定のパターンは、複数の表示セグメントを含み、前記表示セグメントは、複数の連続する前記画素を含む。
【００４９】
一実施例において、複数の連続する画素によって表示セグメントを構成し、その後、複数の表示セグメントによって前記所定のパターンを構成することができる。これにより、制御ユニットによって、所定位置に位置する表示セグメントを点灯するように制御することができ、表示セグメントによって必要な内容を構成する。
【００５０】
例えば、図２に示す実施例において、示されるパターンは、１つの７セグメントに相当し、いずれかの表示セグメントを点灯又は消灯するように制御することにより、０〜９のうちいずれかの数字、及び複数種類の英語の文字を表示することができる。例えば、７つの表示セグメントのうち、右側の縦方向の２つの表示セグメント２４及び２５の画素における有機発光ダイオードのみが発光するように制御することができ、表示されるパターンが８ではなく、１である。また、前記画像は、複数組の上記７つの表示セグメントを含むことができ、例えば、上記７つの表示セグメントを両組含む場合、０〜９９のいずれかの数字を表示することができる。
【００５１】
好ましくは、前記制御ユニットは、同一の表示セグメント内に位置する画素における有機発光ダイオードを同時に発光、又は同時に消灯するように制御する。
【００５２】
一実施例において、制御ユニットによって、同一の表示セグメント内に位置する画素における有機発光ダイオードを同時に発光、又は同時に消灯するように制御することができる。これにより、ある表示セグメントを点灯又は消灯するように制御する場合、画素が順次に点灯又は消灯することはなく、当該表示セグメントが全体として点灯、消灯することを確保することができ、表示セグメントにおける画素の全体としての視覚効果に有利である。
【００５３】
好ましくは、前記所定位置の画素は、前記所定のパターン内の一部の画素であるか、又は前記所定のパターン内のすべての画素である。
【００５４】
一実施例において、制御ユニットによって、発光するように制御される所定位置の画素は、所定のパターン内の一部の画素であってもよいし、所定の画像内のすべての画素であってもよく、すなわち、所定のパターン内の一部の領域が点灯するように制御し、又は所定のパターン全体が点灯するように制御することができる。
【００５５】
図６は、本開示の実施例によって示される駆動回路の概略図である。図６に示すように、前記駆動回路は、第１端が走査ラインＳＬに接続され、第２端がデータラインＤＬに接続されるスイッチトランジスタＴＦＴ１と、第１端が前記スイッチトランジスタＴＦＴ１の第３端に接続され、第２端が所定の電圧端Ｖｄｄに接続され、第３端が前記有機発光ダイオードＯＬＥＤに接続される駆動トランジスタＴＦＴ２と、第１端が前記駆動トランジスタＴＦＴ２の第１端に接続され、第２端が前記駆動トランジスタＴＦＴ２の第２端に接続されるコンデンサＣと、を含む。
【００５６】
一実施例において、上記第１端がゲートであってもよく、第２端がソースであってもよく、第３端がドレインであってもよい。走査ラインＳＬが、スイッチトランジスタＴＦＴ１のゲートに信号を入力することにより、スイッチトランジスタＴＦＴ１が導通される。データラインＤＬの信号がスイッチトランジスタＴＦＴ１のソースを介してドレインに伝送され、駆動トランジスタＴＦＴ２のゲートに印加されることにより、駆動トランジスタＴＦＴ２が導通される。所定の電圧端Ｖｄｄの信号が、駆動トランジスタＴＦＴ２によって電流として生成され、有機発光ダイオードＯＬＥＤに入力されることにより、有機発光ダイオードＯＬＥＤが発光する。
【００５７】
なお、駆動回路の構造は、図６に示す実施例の場合に限らず、例えば、６Ｔ１Ｃ、７Ｔ１Ｃ又はＮＭＯＳ、ＣＭＯＳなどの構造やプロセスを用いてもよい。
【００５８】
図７は、本開示の実施例によって示される表示パネルの概略図である。図７に示すように、表示パネルは、上記いずれかの実施例に記載の表示構造Ｘを含み、有効発光領域Ｙをさらに含む。前記有効発光領域Ｙには、複数の有効発光画素及び複数の駆動回路が設けられ、前記有効発光画素は、複数のサブ画素を含み、前記有効発光領域Ｙにおけるサブ画素は、駆動回路と一対一に設けられる。
【００５９】
一実施例において、表示パネルの有効発光領域内に各サブ画素が駆動回路に一対一に対応し、例えば、サブ画素の有機発光層の下に駆動トランジスタが設けられるため、各サブ画素をそれぞれ制御することができ、有効発光領域のパターン表示を実現する。
【００６０】
この場合において、表示パネルの下方に画像収集機器を設ける必要があるなら、画像収集機器を表示構造の第１の領域の下に設けることができ、表示構造の第１の領域が透明に近く、ある程度の表示機能を備えるため、有効発光領域を表示構造の第１の領域と共に表示領域とすることができ、画像収集機器が設けられる領域も表示領域とすることができ、表示パネルの正面の表示領域の比率向上に有利であり、表示パネルが全体としての美観が向上する。
【００６１】
なお、図４に示す実施例において、駆動トランジスタの上方に有機材料層９を設けることができ、すなわち、駆動回路が存在する第２の領域Ｂも発光することができ、この場合において、表示構造における駆動トランジスタを、有効発光領域内の駆動回路の駆動トランジスタとして共用することできる。
【００６２】
図５に示す実施例の場合において、駆動トランジスタの上方に有機材料層が設けられない場合、表示構造における駆動トランジスタを表示パネルのフレーム領域に設けることができ、駆動トランジスタの透過率への影響を回避する。
【００６３】
一実施例において、図７に示す実施例に基づいて、好ましくは、各前記駆動回路は、１つの前記有機発光ダイオードに対応付けて接続される。好ましくは、少なくとも１つの前記駆動回路は、複数の前記有機発光ダイオードに対応付けて接続される。好ましくは、前記画素は、ｎ色のサブ画素を含み、前記サブ画素は、前記有機発光ダイオードを含み、前記複数の駆動回路は、ｎ個の駆動回路を含み、前記ｎ個の駆動回路のうち、第ｉ個の駆動回路は、各第ｉ色のサブ画素における有機発光ダイオードを発光するように駆動するためのものであり、１≦ｉ≦ｎ、ｉ及びｎが整数であり、ｎ＞１である。
【００６４】
好ましくは、前記駆動回路は、駆動トランジスタを含み、前記有機発光ダイオードは、第１の電極と、第２の電極と、前記第１の電極と第２の電極との間に設けられる有機発光層を含み、第ｉ個の駆動回路における駆動トランジスタは、各第ｉ色のサブ画素における第１の電極に接続される。
【００６５】
好ましくは、隣接する同じ色のサブ画素における第１の電極がお互いに接続される。
【００６６】
好ましくは、前記表示構造は、前記複数の駆動回路に接続され、前記所定のパターン内の所定位置の画素における有機発光ダイオードを駆動して発光させるように、前記駆動回路を制御するための制御ユニットをさらに含む。
【００６７】
一実施例において、前記表示パネルは、前記駆動回路にゲート駆動信号を入力するためのゲート駆動回路と、前記駆動回路にデータ信号を入力するためのデータ信号回路と、をさらに含む。
【００６８】
前記駆動回路は、表示構造における駆動回路を含み、有効発光領域内の駆動回路をも含む。
【００６９】
一実施例において、ゲート駆動回路は、走査ラインを介して駆動回路にゲート駆動信号を入力することができ、上記表示構造におけるｎ個の駆動回路について、一本の走査ラインにより上記ｎ個の駆動回路にゲート駆動信号を入力してもよいし、ｎ本の走査ラインにより一対一で上記ｎ個の駆動回路にゲート駆動信号を入力入力してもよい。なお、ｎ個の駆動回路におけるａ個の駆動回路に、一本の走査ラインによりゲート駆動信号を入力することができ、ｎ個の駆動回路におけるｎ−ａ個の駆動回路に、ａ個の駆動回路により一対一でゲート駆動信号を入力することができ、ａがｎより小さい正の整数である。
【００７０】
上記表示パネルの有効発光領域内の駆動回路に、走査ラインによりゲート駆動信号を入力することもでき、上記表示構造における駆動回路にゲート駆動信号を入力するための走査ラインを、表示パネルの有効発光領域内の駆動回路にゲート駆動信号を入力するための走査ラインとして共用することできる。
【００７１】
当然ながら、表示パネルの有効発光領域内の駆動回路にゲート駆動信号を入力する走査ラインは、上記表示構造における駆動回路にゲート駆動信号を入力する走査ラインと異なってもよい。例えば、一本の走査ラインにより上記表示構造における駆動回路にゲート駆動信号を入力し、ｍ本の走査ラインにより表示パネルの有効発光領域内の駆動回路にゲート駆動信号を入力する場合、上記表示構造における駆動回路にゲート駆動信号を入力する走査ラインは、これらｍ＋１本の走査ラインうち、任意の位置に配置されてもよく、例えば、第１行に配置されてもよいし、第ｍ＋１行に配置されてもよい。
【００７２】
図８は、本開示の実施例によって示される表示パネルの配線概略図である。
【００７３】
図８に示すように、図２に示す実施例に基づいて、少なくとも１つの前記駆動回路は、複数の前記有機発光ダイオードに対応して接続され、例えば、一部の表示セグメントでは、各表示セグメントにおける同じ色のサブ画素は、同一の駆動回路に接続することができ、例えば、表示セグメント２１におけるすべての赤色サブ画素は、同一の駆動回路に接続することができ、すべての緑色サブ画素は、同一の駆動回路に接続することができ、すべての青色サブ画素は、同一の駆動回路に接続することができる。
【００７４】
もう一部の表示セグメントでは、各駆動回路は、１つの前記有機発光ダイオードに対応して接続され、例えば、表示セグメント２３において、サブ画素と駆動回路とが一対一の接続関係である。
【００７５】
さらに、図８に示すように、すべての駆動回路は、一本の走査ラインＳＬにより表示パネルのＧＯＡに接続されていることができ、各駆動回路は、それぞれ一本のデータラインＳＬにより表示パネルのデータ信号回路に接続されている。
【００７６】
なお、表示構造における駆動回路及び有効発光領域内の駆動回路に、同一のゲート駆動回路によりゲート駆動信号を入力してもよいし、異なるゲート駆動回路によりゲート駆動信号を入力してもよい。同一のデータ信号回路によりデータ信号を入力してもよいし、異なるデータ信号回路によりデータ信号を入力してもよい。
【００７７】
好ましくは、前記表示パネルは、アレイ基板をさらに含み、前記ゲート駆動回路は、前記アレイ基板に設けられる。
【００７８】
一実施例において、ゲート駆動回路（Ｇａｔｅ ＩＣ）は、アレイ基板に設けられ、ＧＯＡ（Ｇａｔｅ
ＩＣ Ｏｎ Ａｒｒａｙ）構造を形成することができる。
【００７９】
本開示の実施例は、上記いずれかの実施例に記載の表示パネルを含み、前記第１の領域に設けられ、前記表示構造の出光方向から離れる側に位置する画像収集機器をさらに含む表示装置をさらに提供する。
【００８０】
一実施例において、表示パネルの下方に、具体的には、表示構造の第１の領域において、前記表示構造の出光方向から離れる側に画像収集機器を設けることができる。また、表示構造の第１の領域が透明に近く、ある程度の表示機能を備えるため、有効発光領域を表示構造の第１の領域と共に表示領域とすることができ、画像収集機器が設けられる領域も表示領域とすることができ、表示パネルの正面の表示領域の比率向上に有利であり、表示パネルが全体としての美観が向上する。
【００８１】
好ましくは、前記表示装置は、前記第１の領域に設けられ、前記表示構造の出光方向から離れる側に位置するセンサをさらに含む。
【００８２】
一実施例において、表示装置にセンサを設ける必要があるなら、センサをも表示構造の第１の領域において前記表示構造の出光方向から離れる側に設けることができ、センサが設けられる領域も表示領域とすることができ、表示装置の正面の表示領域の比率向上に有利であり、表示装置が全体としての美観が向上する。前記センサは、距離センサ、環境光センサなどを含むことができる。
【００８３】
なお、上記表示装置は、例えば、携帯電話、タブレット、スマートウェアラブル機器などのモバイル端末であってもよいし、例えば、テレビ、コンピュータスクリーンなどの他の機器であってもよい。
【００８４】
図９は、本開示の実施例によって示される表示用装置９００の概略ブロック図である。例えば、装置９００は、携帯電話、コンピュータ、デジタル放送端末、メッセージ送受信機器、ゲームコンソール、タブレットデバイス、医療機器、フィットネス機器、パーソナルデジタルアシスタントなどであってもよい。
【００８５】
図９を参照すると、装置９００は、プロセスアセンブリ９０２、メモリ９０４、電源アセンブリ９０６、マルチメディアアセンブリ９０８、オーディオアセンブリ９１０、入力／出力（Ｉ／Ｏ）インタフェース９１２、センサアセンブリ９１４、及び通信アセンブリ９１６のうち１つ以上のアセンブリを含んでもよい。
【００８６】
プロセスアセンブリ９０２は、一般的には装置９００全体の操作を制御するものであり、例えば、表示、電話呼び出し、データ通信、カメラ操作、及び記録操作と関連する操作を制御する。プロセスアセンブリ９０２は、上記方法のすべて、或は一部のステップを実現するために、命令を実行する１つ以上のプロセッサ９２０を含んでもよい。なお、プロセスアセンブリ９０２は、プロセスアセンブリ９０２と他のアセンブリとの間のインタラクションが容易になるように、１つ以上のモジュールを含んでもよい。例えば、プロセスアセンブリ９０２は、マルチメディアアセンブリ９０８とプロセスアセンブリ９０２との間のインタラクションが容易になるように、マルチメディアモジュールを含んでもよい。
【００８７】
メモリ９０４は、各種類のデータを記憶することにより装置９００の操作を支援するように構成される。これらのデータの例は、装置９００において操作されるいずれのアプリケーションプログラム又は方法の命令、連絡先データ、電話帳データ、メッセージ、画像、ビデオなどを含む。メモリ９０４は、いずれの種類の揮発性メモリ、不揮発性メモリ記憶デバイス又はそれらの組み合わせによって実現されてもよく、例えば、ＳＲＡＭ（Ｓｔａｔｉｃ  Ｒａｎｄｏｍ  Ａｃｃｅｓｓ  Ｍｅｍｏｒｙ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ−Ｏｎｌｙ  Ｍｅｍｏｒｙ）、ＥＰＲＯＭ（Ｅｒａｓａｂｌｅ  Ｐｒｏｇｒａｍｍａｂｌｅ  Ｒｅａｄ  Ｏｎｌｙ  Ｍｅｍｏｒｙ）、ＰＲＯＭ（  Ｐｒｏｇｒａｍｍａｂｌｅ  ＲＯＭ）、ＲＯＭ（Ｒｅａｄ  Ｏｎｌｙ  Ｍｅｍｂｅｒ）、磁気メモリ、フラッシュメモリ、磁気ディスク、或いは光ディスクである。
【００８８】
電源アセンブリ９０６は、装置９００の多様なアセンブリに電力を供給する。電源アセンブリ９０６は、電源管理システム、１つ以上の電源、及び装置９００のための電力の生成、管理及び分配に関連する他のアセンブリを含んでもよい。
【００８９】
マルチメディアアセンブリ９０８は、前記装置９００とユーザの間に１つの出力インターフェイスを提供するスクリーンを含む。上記実施例において、スクリーンは液晶モニター（ＬＣＤ）とタッチパネル（ＴＰ）を含んでもよい。スクリーンがタッチパネルを含むことにより、スクリーンはタッチスクリーンを実現することができ、ユーザからの入力信号を受信することができる。タッチパネルは１つ以上のタッチセンサを含んでおり、タッチ、スライド、及びタッチパネル上のジェスチャを検出することができる。前記タッチセンサは、タッチ、或はスライドの動作の境界だけでなく、前記タッチ、或はスライド操作に係る継続時間及び圧力も検出できる。上記実施例において、マルチメディアアセンブリ９０８は、１つのフロントカメラ、及び／又はリアカメラを含む。装置９００が、例えば撮影モード、ビデオモードなどの操作モードにある場合、フロントカメラ、及び／又はリアカメラは外部からマルチメディアデータを受信できる。フロントカメラとリアカメラのそれぞれは、１つの固定型の光レンズ系、或は可変焦点距離と光学ズーム機能を有するものであってもよい。
【００９０】
オーディオアセンブリ９１０は、オーディオ信号を入出力するように構成されてもよい。例えば、オーディオアセンブリ９１０は、１つのマイク（ＭＩＣ）を含み、装置９００が、例えば呼出しモード、記録モード、音声認識モードなどの操作モードにある場合、マイクは外部のオーディオ信号を受信することができる。受信されたオーディオ信号は、さらにメモリ９０４に記憶され、または、通信アセンブリ９１６により送信される。上記実施例において、オーディオアセンブリ９１０は、オーディオ信号を出力するための１つのスピーカーをさらに含む。
【００９１】
Ｉ／Ｏインターフェイス９１２は、プロセスアセンブリ９０２と周辺インターフェイスモジュールの間にインターフェイスを提供するものであり、上記周辺インターフェイスモジュールは、キーボード、クリックホイール、ボタンなどであってもよい。これらのボタンは、ホームボタン、ボリュームボタン、起動ボタン、ロッキングボタンを含んでもよいが、これらに限定されない。
【００９２】
センサアセンブリ９１４は、装置９００に各態様の状態に対する評価を提供するための１つ以上のセンサを含む。例えば、センサアセンブリ９１４は、装置９００のＯＮ／ＯＦＦ状態、装置９００のディスプレイとキーパッドのようなアセンブリの相対的な位置決めを検出できる。また、例えば、センサアセンブリ９１４は、装置９００、或は装置９００の１つのアセンブリの位置変更、ユーザと装置９００とが接触しているか否か、装置９００の方位、又は加速／減速、装置９００の温度の変化を検出できる。センサアセンブリ９１４は、何れの物理的接触がない状態にて付近の物体の存在を検出するための近接センサを含んでもよい。センサアセンブリ９１４は、イメージングアプリケーションに適用するため、ＣＭＯＳ、又はＣＣＤ図像センサのような光センサを含んでもよい。上記実施例において、当該センサアセンブリ９１４は、加速度センサ、ジャイロスコープセンサ、磁気センサ、圧力センサ、及び温度センサをさらに含んでもよい。
【００９３】
通信アセンブリ９１６は、装置９００と他の機器の間に有線、又は無線形態の通信を提供する。装置９００は、例えばＷｉＦｉ、２Ｇ、３Ｇ、或はこれらの組み合わせのような、通信規格に基づいた無線ネットワークに接続されてもよい。１つの例示的な一実施例において、通信アセンブリ９１６は、放送チャンネルにより外部の放送管理システムからの放送信号、又は放送に関連する情報を受信する。１つの例示的な一実施例において、前記通信アセンブリ９１６は、近距離無線通信（ＮＦＣ）モジュールをさらに含むことにより、近距離通信を推進するようにする。例えば、ＮＦＣモジュールは、ＲＦＩＤ（Ｒａｄｉｏ  Ｆｒｅｑｕｅｎｃｙ  ＩＤｅｎｔｉｆｉｃａｔｉｏｎ）技術、ＩｒＤＡ（Ｉｎｆｒａｒｅｄ  Ｄａｔａ  Ａｓｓｏｃｉａｔｉｏｎ）技術、ＵＷＢ（Ｕｌｔｒａ  Ｗｉｄｅ  Ｂａｎｄ）技術、ＢＴ（Ｂｌｕｅｔｏｏｔｈ（登録商標））技術及び他の技術に基づいて実現できる。
【００９４】
例示的な一実施例において、装置９００は、１つ以上のＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）、ＤＳＰ（Ｄｉｇｉｔａｌ  Ｓｉｇｎａｌ  Ｐｒｏｃｅｓｓｏｒ）、ＤＳＰＤ（Ｄｉｇｉｔａｌ  Ｓｉｇｎａｌ  Ｐｒｏｃｅｓｓｉｎｇ  Ｄｅｖｉｃｅ）、ＰＬＤ（Ｐｒｏｇｒａｍｍａｂｌｅ  Ｌｏｇｉｃ  Ｄｅｖｉｃｅ）、ＦＰＧＡ（Ｆｉｅｌｄ−Ｐｒｏｇｒａｍｍａｂｌｅ  Ｇａｔｅ  Ａｒｒａｙ）、コントローラ、マイクロコントローラ、マイクロプロセッサ、又は他の電子部品によって実現されるものであり、上記方法を実行する。
【００９５】
例示的な一実施例において、命令を含む非一時的なコンピュータ読み取り可能な記憶媒体、例えば、命令を含むメモリ９０４をさらに提供しており、装置９００のプロセッサ９２０により上記命令を実行して上記方法を実現する。例えば、非一時的なコンピュータ読み取り可能な記憶媒体は、ＲＯＭ、ランダムアクセスメモリ（ＲＡＭ）、ＣＤ−ＲＯＭ、磁気テープ、フロッピーディスク、光データ記憶デバイスなどであってもよい。
【００９６】
当業者は、明細書を考慮して、ここに開示される開示を実践した後、本開示の他の実施案を容易に想到し得る。本出願の目的は、本開示のあらゆる変形、用途又は適応的な変化を含み、これらの変形、用途又は適応的な変化は、本開示の一般的な原理に従って、本開示に開示されていない当技術分野における周知技術又は通常の技術手段を含む。明細書及び実施例は、単なる例示的なものと見なされ、本開示の確実な範囲及び要旨は、以下の特許請求の範囲によって示される。
【００９７】
なお、本開示は、以上に説明され、図面に示された精確な構造に限らず、その範囲を逸脱せずに各種の修正及び変更を行うことができる。本発明の範囲は、添付の特許請求の範囲のみによって制限される。
【図１】
2021501901.tif 000003
【図２】
2021501901.tif 000004
【図３】
2021501901.tif 000005
【図４】
2021501901.tif 000006
【図５】
2021501901.tif 000007
【図６】
2021501901.tif 000008
【図７】
2021501901.tif 000009
【図８】
2021501901.tif 000010
【図９】
2021501901.tif 000011
【国際調査報告】
2021501901.tif 000012
2021501901.tif 000013
2021501901.tif 000014
2021501901.tif 000015